(57)【特許請求の範囲】
【請求項１】
高温再生器、低温再生器、蒸発器、凝縮器および吸収器を備え、これらを配管接続して吸収液および冷媒の循環経路をそれぞれ形成してなる吸収式冷凍機において、
制御部を備え、前記制御部は、前記蒸発器の冷温水出口温度と冷温水の設定温度との差が所定温度の範囲内である状態が所定時間継続していると判断した第１の条件と、所定時間毎に取得した前記蒸発器の冷温水出入口温度の差が所定温度の範囲内である状態が所定時間継続していると判断した第２の条件と、前記蒸発器の冷温水温度差と冷温水流量値から冷凍能力比を算出し、所定時間毎の冷凍能力比差が、所定の範囲内である状態が所定時間継続していると判断した第３の条件と、を全て満たしていると判断した場合、安定運転が行われていると判断し、冷凍機データを取得し、
前記制御部は、前記冷凍機データに基づいて熱バランスを算出し、この熱バランスが所定の範囲内であると判断した場合、前記冷凍機データを前記安定運転時に取得した冷凍機データとして採用することを特徴とする吸収式冷凍機。
【請求項２】
遠隔監視センターとの通信を行う遠隔監視アダプタを備え、前記制御部は、前記遠隔監視アダプタが備えるアダプタ用制御部であることを特徴とする請求項１に記載の吸収式冷凍機。
【請求項３】
熱バランスを算出する前記制御部は、前記遠隔監視センターが備えるセンター用制御部であることを特徴とする請求項２に記載の吸収式冷凍機。
【発明の詳細な説明】
【技術分野】
【０００１】
本発明は、吸収式冷凍機に係り、特に、安定運転時における冷凍機データを取得することを可能とした吸収式冷凍機に関する。
【背景技術】
【０００２】
一般に、高温再生器、低温再生器、蒸発器、凝縮器および吸収器を備え、これらを配管接続して吸収液および冷媒の循環経路をそれぞれ形成した吸収式冷凍機が知られている。吸収式冷凍機は、例えば、オフィスビルのセントラル空調などに用いられている。
このような吸収式冷凍機においては、従来、例えば、冷温水出口温度などのデータを取得し、冷温水機本体の運転台数に応じた運転量の増減値に加算し、この加算した値をもとにして冷温水機本体の運転台数を制御することで、負荷急変時の挙動を低減させ、安定した制御を行なうことができるようにした技術が開示されている（例えば、特許文献１参照）。
【先行技術文献】
【特許文献】
【０００３】
【特許文献１】特許第３０３０１６９号公報
【発明の概要】
【発明が解決しようとする課題】
【０００４】
従来の技術に示すように、吸収式冷凍機においては、冷温水温度、冷却水温度、高温再生器温度、低温再生器温度などのデータを逐次取得し、これらデータに基づいて、各種制御を行うことが一般に行われている。
しかしながら、例えば、高負荷運転時など吸収式冷凍機の運転状態が不安定な状態でもデータを取得する場合があり、このように不安定な運転状態で取得したデータを用いて、例えば、ＣＯＰなどの運転性能を判断する場合、運転性能に誤差が生じるおそれがあるという問題がある。
そのため、吸収式冷凍機の運転性能を適正に判断することができ、不具合があれば早期発見が可能で、適切なメンテナンス対応を行うことが要望されている。
【０００５】
本発明は、前記した事情に鑑みてなされたものであり、吸収式冷凍機の運転性能を適正に判断することのできる吸収式冷凍機を提供することを目的とするものである。
【課題を解決するための手段】
【０００６】
前記目的を達成するため、本発明は、高温再生器、低温再生器、蒸発器、凝縮器および吸収器を備え、これらを配管接続して吸収液および冷媒の循環経路をそれぞれ形成してなる吸収式冷凍機において、制御部を備え、前記制御部は、前記蒸発器の冷温水出口温度と冷温水の設定温度との差が所定温度の範囲内である状態が所定時間継続していると判断した第１の条件と、所定時間毎に取得した前記蒸発器の冷温水出入口温度の差が所定温度の範囲内である状態が所定時間継続していると判断した第２の条件と、前記蒸発器の冷温水温度差と冷温水流量値から冷凍能力比を算出し、所定時間毎の冷凍能力比差が、所定の範囲内である状態が所定時間継続していると判断した第３の条件と、を全て満たしていると判断した場合、安定運転が行われていると判断し、冷凍機データを取得し、前記制御部は、前記冷凍機データに基づいて熱バランスを算出し、この熱バランスが所定の範囲内であると判断した場合、前記冷凍機データを前記安定運転時に取得した冷凍機データとして採用することを特徴とする。
【０００７】
これによれば、制御部により、蒸発器の冷温水出口温度と冷温水の設定温度との差が所定温度の範囲内である状態が所定時間継続していると判断した場合、安定運転が行われていると判断し、冷凍機データを取得することで、安定運転が行われていると判断した場合の冷凍機データを取得することができる。
【発明の効果】
【０００８】
本発明によれば、制御部により、安定運転が行われていると判断した冷凍機データを取得することで、確実に安定運転が行われていると判断した場合の冷凍機データを取得することができる。その結果、吸収式冷凍機の運転性能を適正に判断することができ、不具合があれば早期発見が可能で、適切なメンテナンス対応を行うことが可能となる。
【図面の簡単な説明】
【０００９】
【図１】本実施形態に係る吸収式冷凍機の概略構成図
【図２】本実施形態の制御構成を示すブロック図
【図３】本実施形態の動作を示すフローチャート
【発明を実施するための形態】
【００１０】
第１の発明は、高温再生器、低温再生器、蒸発器、凝縮器および吸収器を備え、これらを配管接続して吸収液および冷媒の循環経路をそれぞれ形成してなる吸収式冷凍機において、制御部を備え、前記制御部は、前記蒸発器の冷温水出口温度と冷温水の設定温度との差が所定温度の範囲内である状態が所定時間継続していると判断した場合、安定運転が行われていると判断し、冷凍機データを取得することを特徴とする吸収式冷凍機である。
これにより、安定運転が行われていると判断した場合の冷凍機データを取得することができる。
【００１１】
第２の発明は、前記制御部は、所定時間毎に取得した前記蒸発器の冷温水出入口温度の差が所定温度の範囲内である状態が所定時間継続していると判断した場合、安定運転が行われていると判断し、冷凍機データを取得することを特徴とする吸収式冷凍機である。
これにより、安定運転が行われていると判断した場合の冷凍機データを取得することができる。
【００１２】
第３の発明は、前記制御部は、前記蒸発器の冷温水温度差と冷温水流量値から冷凍能力比を算出し、所定時間毎の冷凍能力比差が、所定の範囲内である状態が所定時間継続していると判断した場合、安定運転が行われていると判断し、冷凍機データを取得することを特徴とする吸収式冷凍機である。
これにより、安定運転が行われていると判断した場合の冷凍機データを取得することができる。
【００１３】
第４の発明は、前記制御部は、熱バランスを算出し、この熱バランスが所定の範囲内であると判断した場合、安定運転時における冷凍機データであるとして取得した冷凍機データを採用することを特徴とする吸収式冷凍機である。
これにより、制御部により算出された熱バランスが所定の範囲内であると判断した場合の冷凍機データを採用することで、確実に安定運転時における冷凍機データを利用することができる。
【００１４】
第５の発明は、遠隔監視センターとの通信を行う遠隔監視アダプタを備え、前記制御部は、前記遠隔監視アダプタが備えるアダプタ用制御部であることを特徴とする吸収式冷凍機である。
これにより、アダプタ用制御部により安定運転が行われているか否かの判断を行うことができる。
【００１５】
第６の発明は、熱バランスを算出する前記制御部は、前記遠隔監視センターが備えるセンター用制御部であることを特徴とする吸収式冷凍機である。
これにより、遠隔監視センターのセンター用制御部により確実に安定運転時における冷凍機データを利用することができる。
【００１６】
以下、図面を参照して本発明の一実施形態を説明する。
図１は、本実施形態に係る吸収式冷凍機の概略構成図である。吸収式冷凍機１００は、冷水または温水を図示しない負荷に循環供給することのできる吸収冷温水機であり、冷媒に水を、吸収液に臭化リチウム（ＬｉＢｒ）水溶液を使用したものである。
【００１７】
吸収式冷凍機１００は、図１に示すように、蒸発器１と、この蒸発器１に並設された吸収器２と、これら蒸発器１および吸収器２を収納した蒸発器吸収器胴３と、ガスバーナ（加熱手段）４を備えた高温再生器５と、低温再生器６と、この低温再生器６に並設された凝縮器７と、これら低温再生器６および凝縮器７を収納した低温再生器凝縮器胴８とを備える。
また、吸収式冷凍機１００は、低温熱交換器１２と、高温熱交換器１３と、冷媒ドレン熱回収器１７と、稀吸収液ポンプ４５と、濃吸収液ポンプ４７と、冷媒ポンプ４８とを備え、これらの各機器が吸収液管２１〜２５および冷媒管３１〜３５などを介して配管接続されて循環経路が構成されている。
【００１８】
蒸発器１には、蒸発器１内で冷媒と熱交換したブラインを、図示しない熱負荷（例えば、空気調和装置）に循環供給するための冷温水管１４が設けられており、この冷温水管１４の一部に形成された伝熱管１４Ａが蒸発器１内に配置されている。
吸収器２および凝縮器７には、吸収器２および凝縮器７に順次冷却水を流通させるための冷却水管１５が設けられており、この冷却水管１５の一部に形成された各伝熱管１５Ａ、１５Ｂがそれぞれ吸収器２および凝縮器７内に配置されている。
【００１９】
吸収器２は、蒸発器１で蒸発した冷媒蒸気を吸収液に吸収させ、蒸発器吸収器胴３内の圧力を高真空状態に保つ機能を有する。この吸収器２の下部には、冷媒蒸気を吸収して稀釈された稀吸収液が溜る稀吸収液溜り２Ａが形成され、この稀吸収液溜り２Ａには、稀吸収液ポンプ４５を有する稀吸収液管２１の一端が接続されている。稀吸収液管２１は、稀吸収液ポンプ４５の下流側で分岐する分岐稀吸収液管２１Ａを備える。
この分岐稀吸収液管２１Ａは冷媒ドレン熱回収器１７を経由した後に、稀吸収液管２１の低温熱交換器１２の下流側で再び稀吸収液管２１に合流する。この稀吸収液管２１の他端は、高温熱交換器１３を経由した後、高温再生器５内に形成された熱交換部５Ａの上方に位置する気層部５Ｂに開口している。
稀吸収液管２１は、低温熱交換器１２の下流側で第２分岐管２１Ｂに分岐され、第２分岐管２１Ｂは低温再生器６内に開口している。
【００２０】
高温再生器５は、シェル６０内にガスバーナ４を収容して構成され、このガスバーナ４の上方に当該ガスバーナ４の火炎を熱源として吸収液を加熱再生する熱交換部５Ａが形成されている。この熱交換部５Ａには、ガスバーナ４で燃焼された排気ガスが流通する排気経路４０が接続され、この排気経路４０には、排ガス熱交換器４１が設けられている。また、ガスバーナ４には、燃料ガスが供給されるガス管６１と、ブロワ６２からの空気が供給される吸気管６３とが接続され、これらガス管６１および吸気管６３には、燃料ガスおよび空気の量を制御する制御弁６４が設けられている。ガス管６１には、ガス流量計６５が設けられている。
【００２１】
熱交換部５Ａの側方には、この熱交換部５Ａで加熱再生された後に当該熱交換部５Ａから流出した中間吸収液が溜る中間吸収液溜り５Ｃが形成されている。この中間吸収液溜り５Ｃの下端には第２中間吸収液管２３の一端が接続され、この第２中間吸収液管２３には高温熱交換器１３が設けられている。この高温熱交換器１３は、中間吸収液溜り５Ｃから流出した高温の中間吸収液の温熱で第１中間吸収液管２２を流れる吸収液を加熱するものであり、高温再生器５におけるガスバーナ４の燃料消費量の低減を図っている。
第２中間吸収液管２３の他端は、低温再生器６と吸収器２とを繋ぐ濃吸収液管２５に接続されている。また、第２中間吸収液管２３の高温熱交換器１３上流側と吸収器２とは開閉弁Ｖ１が介在する吸収液管２４により接続されている。
【００２２】
低温再生器６は、高温再生器５で分離された冷媒蒸気を熱源として、低温再生器６内に形成された吸収液溜り６Ａに溜った吸収液を加熱再生するものであり、吸収液溜り６Ａには、高温再生器５の上端部から低温再生器６の底部に延びる冷媒管３１の一部に形成される伝熱管３１Ａが配置されている。この冷媒管３１に冷媒蒸気を流通させることにより、伝熱管３１Ａを介して、冷媒蒸気の温熱が吸収液溜り６Ａに溜った吸収液に伝達され、この吸収液が更に濃縮される。
低温再生器６の吸収液溜り６Ａには、濃吸収液管２５の一端が接続され、この濃吸収液管２５の他端は、吸収器２の気層部２Ｂ上部に設けられる濃液散布器２Ｃに接続されている。濃吸収液管２５には濃吸収液ポンプ４７および低温熱交換器１２が設けられている。この低温熱交換器１２は、低温再生器６の吸収液溜り６Ｂから流出した濃吸収液の温熱で稀吸収液管２１を流れる稀吸収液を加熱するものである。
【００２３】
また、濃吸収液管２５には、濃吸収液ポンプ４７および低温熱交換器１２をバイパスするバイパス管２７が設けられている。
濃吸収液ポンプ４７の運転が停止した場合には、低温再生器６の吸収液溜り６Ａに溜った吸収液は、濃吸収液管２５およびバイパス管２７を通じて吸収器２内に供給される。
【００２４】
前述のように、高温再生器５の気層部５Ｂと凝縮器７の底部に形成された冷媒液溜り７Ａとは、冷媒管３１により接続される。この冷媒管３１は、低温再生器６の吸収液溜り６Ａに配管された伝熱管３１Ａおよび冷媒ドレン熱回収器１７を備え、この冷媒管３１の伝熱管３１Ａの上流側と吸収器２の気層部２Ｂとは開閉弁Ｖ２が介在する冷媒管３２により接続されている。
また、凝縮器７の冷媒液溜り７Ａには、この冷媒液溜り７Ａから流出した冷媒が流れる冷媒管３４の一端が接続され、この冷媒管３４の他端は、下方に湾曲したＵシール部３４Ａを介して蒸発器１の気層部１Ａに接続されている。
蒸発器１の下方には、液化した冷媒が溜る冷媒液溜り１Ｂが形成され、この冷媒液溜り１Ｂと蒸発器１の気層部１Ａの上部に配置される散布器１Ｃとは冷媒ポンプ４８が介在するに冷媒管３５により接続されている。
【００２５】
また、冷却水管１５には、冷却水管１５を流れる冷却水の入口側の温度を検出する冷却水入口温度センサ３６および冷却水の出口側の温度を検出する冷却水出口温度センサ３７が設けられている。
冷温水管１４には、冷温水管１４を流れる冷温水の入口側の温度を検出する冷温水入口温度センサ３８および冷温水の出口側の温度を検出する冷温水出口温度センサ３９が設けられている。
また、冷温水管１４の入口側と出口側とを連結する配管１４Ｂが設けられ、この配管１４Ｂには、冷温水管１４の入口側と出口側との圧力差を検出する冷温水差圧センサ７６が設けられている。
さらに、冷却水管１５の吸収器２の入口側と出口側とを連結する配管１５Ｂが設けられ、この配管１５Ｂには、冷却水管１５の入口側と出口側との圧力差を検出する冷却水差圧センサ７７が設けられている。
【００２６】
また、本実施形態の吸収式冷凍機１００は、抽気装置７０を備えており、抽気装置７０は、タンク７１を備えている。タンク７１の上部には、吸収器２の気層部２Ｂに連通する抽気管７２が接続されている。タンク７１の底部には、吸収器２の下方に連通する戻り管７３が接続されている。さらに、タンク７１の上部には、エジェクタポンプ７４介して稀吸収液管２１に接続される吸収液管７５が接続されている。
そして、エジェクタポンプ７４を駆動することにより、吸収液管７５を介して稀吸収液管２１の稀吸収液をタンク７１に取り込む。吸収液管７５により流れ込んだ稀吸収液により、タンク７１の内部が負圧となり、これにより、吸収器２の上部に貯留されている不凝縮ガスのみならず冷媒蒸気、気化した吸収液などが抽気管７２を通ってタンク７１の上方に導かれる。
【００２７】
タンク７１に導かれたガスのうち、冷媒蒸気と気化した吸収液は、タンク７１の下方に溜まっている吸収液に溶け込んで吸収されるが、不凝縮ガスは吸収液に溶け込むことができないので、タンク７１の上方に溜められる。そして、タンク７１の下方に溜まった吸収液は、戻り管７３を通って吸収器３に戻される。
【００２８】
次に、本実施形態の制御構成について説明する。
図２は、本実施形態の制御構成を示すブロック図である。
図２に示すように、本実施形態の吸収式冷凍機１００は、コントローラ５０を備えており、コントローラ５０は、冷凍機用制御部５１を備えている。冷凍機用制御部５１は、吸収式冷凍機１００の各部を中枢的に制御するものであり、演算実行部としてのＣＰＵ、このＣＰＵによって実行可能な基本制御プログラムや所定のデータ等を不揮発的に記憶するＲＯＭ、ＲＡＭなどのメモリ５２、その他の周辺回路などを備えている。
また、冷凍機用制御部５１には、冷却水入口温度センサ３６、冷却水出口温度センサ３７、冷温水入口温度センサ３８、冷温水出口温度センサ３９、ガス流量計６５、冷温水差圧センサ７６および冷却水差圧センサ７７の検出信号がそれぞれ入力されるように構成されている。
また、コントローラ５０は、タイマ５３と、操作部５４と、報知部５５とをそれぞれ備えている。
【００２９】
コントローラ５０の冷凍機用制御部５１は、吸収式冷凍機１００のガスバーナ４の燃料制御弁６４を制御することで、ガスバーナ４による燃焼制御を行うとともに、稀吸収液ポンプ４５、濃吸収液ポンプ４７および冷媒ポンプ４８の駆動制御を行うように構成されている。さらに、コントローラ５０の冷凍機用制御部５１は、稀吸収液ポンプ４５、濃吸収液ポンプ４７および冷媒ポンプ４８のインバータ制御を行うことで、稀吸収液ポンプ４５、中間吸収液ポンプ４６、濃吸収液ポンプ４７および冷媒ポンプ４８による流量制御を行うように構成されている。また、冷凍機用制御部５１は、各弁２８，Ｖ１，Ｖ２の開閉制御を行うように構成されている。
【００３０】
また、コントローラ５０には、遠隔監視アダプタ５６が接続されており、遠隔監視アダプタ５６には、コントローラ５０の冷凍機用制御部５１が取得した各種冷凍機データが送られるように構成されている。
遠隔監視アダプタ５６は、アダプタ用制御部５７を備えており、アダプタ用制御部５７は、演算実行部としてのＣＰＵ、このＣＰＵによって実行可能な基本制御プログラムや所定のデータ等を不揮発的に記憶するＲＯＭ、ＲＡＭなどのメモリ、その他の周辺回路などを備えている。
ここで、冷凍機データとしては、例えば、冷温水入口温度、冷温水出口温度、高温再生器温度、凝縮温度、冷却水入口温度、冷却水出口温度、吸収液温度、吸収液濃度、冷媒温度、制御弁開度など各種データが含まれる。
【００３１】
遠隔監視アダプタ５６は、有線または無線により遠隔監視センター５８と通信可能に構成されている。遠隔監視センター５８は、センター用制御部５９を備えており、センター用制御部５９は、演算実行部としてのＣＰＵ、このＣＰＵによって実行可能な基本制御プログラムや所定のデータ等を不揮発的に記憶するＲＯＭ、ＲＡＭなどのメモリ、その他の周辺回路などを備えている。
遠隔監視センター５８のセンター用制御部５９は、遠隔監視アダプタ５６から送られる冷凍機データを取得し、この冷凍機データに基づいてメンテナンスが必要か否かの判断や、過去に取得した経年冷凍機データを比較することによる劣化判断などを行うように構成されている。
【００３２】
本実施形態においては、冷凍機用制御部５１は、冷凍機データを取得し、遠隔監視アダプタ５６に送る。冷凍機データの取得は、例えば、１分ごとに取得するようになっている。時間の計測は、タイマ５３が行う。
遠隔監視アダプタ５６のアダプタ用制御部５７は、冷凍機データを取得したら、冷温水出口温度センサ３９により検出される冷温水出口温度Ｔ１および冷温水設定温度Ｔ０に基づいて、冷温水出口温度Ｔ１−冷温水設定温度Ｔ０により冷温水温度差Ｔ２を算出する。
そして、アダプタ用制御部５７は、冷温水温度差Ｔ２が、所定範囲にあるか否かを判断する。所定範囲は、例えば、±０．１℃から±０．５℃の範囲のうち任意の温度に設定される。所定範囲を−０．１℃から０．１℃に設定した場合には、以下の式により判断される。
−０．１℃≧Ｔ２（冷温水出口温度Ｔ１−冷温水設定温度Ｔ０）≧０．１℃
アダプタ用制御部５７は、冷温水温度差Ｔ２が、この範囲にある状態が所定時間（例えば、１０分）継続しているか判断し、所定時間継続していると判断した場合には、冷房または暖房の安定運転が行われていると判断する（第１の条件）。
この場合において、例えば、所定範囲を−０．１から０．１の範囲に設定した場合と、−０．５から０．５の範囲に設定した場合とでは、安定運転が行われているか否かの判断が異なることが予想される。すなわち、所定範囲を−０．１から０．１の範囲に設定した場合では、安定運転と判断される可能性が低くなり、−０．５から０．５の範囲に設定した場合では安定運転と判断される可能性が高くなる。そのため、季節や運転負荷などに応じて所定範囲を適宜設定する必要がある。
【００３３】
また、アダプタ用制御部５７は、冷凍機用制御部５１から送られる冷凍機データに基づいて、冷温水入口温度と冷温水出口温度との差である冷温水出入口温度差Ｔ３、Ｔ４を算出する。ここで、冷温水出入口温度差Ｔ３は、現在の冷温水出入口温度差であり、冷温水出入口温度差Ｔ４は、直前に取得した冷温水出入口温度差である。
アダプタ用制御部５７は、冷温水出入口温度差Ｔ３と冷温水出入口温度差Ｔ４との差Ｔ５が、所定範囲にあるか否かを判断する。所定範囲は、例えば、±０．１℃から±０．５℃の範囲のうち任意の温度に設定される。所定範囲を−０．１℃から０．１℃に設定した場合には、以下の式により判断される。
−０．１≧Ｔ５（冷温水出入口温度差Ｔ３−冷温水出入口温度差Ｔ４）≧０．１℃
アダプタ用制御部５７は、温度差Ｔ５が、この範囲にある状態が所定時間（例えば、１０分）継続しているか判断し、所定時間継続していると判断した場合には、冷房または暖房の安定運転が行われていると判断する（第２の条件）。
この場合においても、運転負荷などに応じて、所定範囲を±０．１℃から±０．５℃の範囲で適宜変更することができる。
【００３４】
また、アダプタ用制御部５７は、冷凍機用制御部５１から送られる冷凍機データに基づいて、冷温水温度差と冷温水流量値から冷凍能力比Ｑを算出し、所定時間ごと（例えば、１分）の冷凍能力比Ｑ１，Ｑ２の差が所定範囲にあるか否かを判断する。ここで、冷凍能力比Ｑ１は、現在の冷凍能力比であり、冷凍能力比Ｑ２は、直前に取得した冷凍能力比である。
冷房時における冷凍能力比Ｑは、例えば、以下の式で算出される。
Ｑ＝（冷温水出口温度−冷温水入口温度）÷冷温水定格温度差×
（冷温水差圧センサ検出値÷冷温水差圧定格値）０．５×１００％
【００３５】
また、所定範囲は、例えば、−３％から３％の範囲にあるか否かで判断される。この所定範囲も任意の値に設定することが可能である。所定範囲を−３％から３％に設定した場合には、以下の式により判断される。
−３％≧（冷凍能力比Ｑ１−冷凍能力比Ｑ２）≧３％
アダプタ用制御部５７は、冷凍能力比差が、この範囲にある状態が所定時間（例えば、１０分）継続しているか判断し、所定時間継続していると判断した場合には、冷房または暖房の安定運転が行われていると判断する（第３の条件）。
【００３６】
アダプタ用制御部５７は、前述の第１の条件から第３の条件を満たしていると判断した場合は、冷凍機用制御部５１から取得した冷凍機データを遠隔監視センター５８に送るように構成されている。
遠隔監視センター５８のセンター用制御部５９は、取得した冷凍機データに基づいて、熱バランスを算出し、算出された熱バランスが９５％から１０５％の範囲にあるか否かを判断する。そして、熱バランスが９５％から１０５％の範囲にあると判断した場合には、安定運転時に取得された冷凍機データであるとして、当該冷凍機データを採用する。一方、熱バランスが前述の範囲外であると判断した場合には、安定運転時に取得された冷凍機データでないとして、当該冷凍機データを採用せず、再度冷凍機データの取得を行う。
【００３７】
なお、本実施形態においては、第１の条件から第３の条件を満たしていると判断した場合に、安定運転状態であると判断して冷凍機データを遠隔監視センター５８に送るようにしているが、本発明はこれに限定されない。例えば、第１の条件のみを満たしている場合に安定運転状態であると判断するようにしてもよい。また、第１の条件と第２の条件、または第１の条件と第３の条件といった２つの条件を満たしている場合に、安定運転状態であると判断するようにしてもよい。
また、本実施形態においては、安定運転が行われているか否かの判断をアダプタ用制御部５７が行い、熱バランスが所定範囲か否かの判断をセンター用制御部５９が行うようにしているが、本発明はこれに限定されない。
例えば、冷凍機データを取得した制御部がすべての判断を行い、安定運転時に取得された冷凍機データであると判断した場合に、遠隔監視アダプタ５６を介して遠隔監視センター５８に冷凍機データを送るようにしてもよいし、すべての冷凍機データを遠隔監視アダプタ５６を介して遠隔監視センター５８に送り、センター用制御部５９により、安定運転が行われているか否かの判断、熱バランスが所定範囲か否かの判断を行うようにしてもよい。
【００３８】
次に、本実施形態の動作について説明する。
冷房などの冷却運転時においては、冷温水管１４を介して図示しない熱負荷にブライン（例えば、冷水）が循環供給される。冷凍機用制御部５１は、ブラインの蒸発器１の出口側温度（冷温水出口温度センサ３９にて検出される温度）が所定の設定温度、例えば７℃になるように吸収式冷凍機１００に投入される熱量が制御される。
具体的には、冷凍機用制御部５１は、全てのポンプ４５，４７，４８を起動し、かつ、ガスバーナ４におけるガスの燃焼制御を行うことで、冷温水出口温度センサ３９が計測するブラインの温度が所定の７℃となるようにガスバーナ４の火力を制御する。
【００３９】
この場合、吸収器２からの稀吸収液は、稀吸収液管２１を介して稀吸収液ポンプ４５により低温熱交換器１２および高温熱交換器１３または排ガス熱交換器４１を経由して加熱され高温再生器５に送られる。
高温再生器５に送られた吸収液は、この高温再生器５でガスバーナ４による火炎および高温の燃焼ガスにより加熱されるため、この吸収液中の冷媒が蒸発分離する。高温再生器５で冷媒を蒸発分離して濃度が上昇した中間吸収液は、高温熱交換器１３を経由して濃吸収液管２５に送られ、低温再生器６を経由した吸収液と合流する。
【００４０】
一方、低温再生器６に送られた吸収液は、高温再生器５から冷媒管３１を介して供給されて伝熱管３１Ａに流入する高温の冷媒蒸気により加熱され、さらに冷媒が分離して濃度が一段と高くなり、この濃吸収液が高温再生器５を経由した上記吸収液と合流し、濃吸収液ポンプ４７により低温熱交換器１２を経由して吸収器２に送られ、濃液散布器２Ｃから散布される。
【００４１】
低温再生器６で分離生成した冷媒は、凝縮器７に入って凝縮して冷媒液溜り７Ａに溜る。そして、冷媒液溜り７Ａに冷媒液が多く溜まると、この冷媒液は冷媒液溜り７Ａから流出し、冷媒管３４を経由して蒸発器１に入り、冷媒ポンプ４８の運転により揚液されて散布器１Ｃから冷温水管１４の伝熱管１４Ａの上に散布される。
伝熱管１４Ａの上に散布された冷媒液は、伝熱管１４Ａの内部を通るブラインから気化熱を奪って蒸発するため、伝熱管１４Ａの内部を通るブラインは冷却され、こうして温度を下げたブラインが冷温水管１４から熱負荷に供給されて冷房などの冷却運転が行われる。
そして、蒸発器１で蒸発した冷媒は吸収器２に入り、低温再生器６より供給されて上方から散布される濃吸収液に吸収されて、吸収器２の稀吸収液溜り２Ａに溜り、稀吸収液ポンプ４５によって高温再生器５に搬送される循環を繰り返す。
【００４２】
次に、本実施形態による制御について、図３に示すフローチャートを参照して説明する。
まず、吸収式冷凍機１００の運転を開始し、ガスバーナ４による燃焼が開始されたら（ステップＳ１）、冷凍機用制御部５１は、冷温水入口温度センサ３８により検出される冷温水入口温度、冷温水出口温度センサ３９により検出される冷温水出口温度、ガス流量計６５により検出されるガス流量、冷温水差圧検出センサにより検出される冷温水差圧、冷却水入口温度センサ３６により検出される冷却水入口温度、冷却水出口温度センサ３７により検出される冷却水出口温度、冷却水差圧検出センサにより検出される冷却水差圧などの各種冷凍機データを取得し、遠隔監視アダプタ５６に送る。
【００４３】
遠隔監視アダプタ５６のアダプタ用制御部５７は、冷凍機データを取得したら、冷温水出口温度Ｔ１−冷温水設定温度Ｔ０により冷温水温度差Ｔ２を算出し、冷温水温度差Ｔ２が、例えば、−０．１℃から０．１℃の範囲にあるか否かを判断する（ステップＳ２）。
そして、アダプタ用制御部５７は、冷温水温度差Ｔ２が、この範囲にある状態が所定時間継続しているか判断し、所定時間継続していると判断した場合には、アダプタ用制御部５７は、冷温水出入口温度差Ｔ３と冷温水出入口温度差Ｔ４との差Ｔ５が、例えば、−０．１℃から０．１℃の範囲にあるか否かを判断する（ステップＳ３）。
【００４４】
アダプタ用制御部５７は、温度差Ｔ５が、この範囲にある状態が所定時間継続しているか判断し、所定時間継続していると判断した場合には、冷温水温度差と冷温水流量値から冷凍能力比Ｑを算出し、所定時間ごとの冷凍能力比Ｑ１，Ｑ２の差が、例えば、−３％から３％の範囲にあるか否か判断する（ステップＳ４）。
そして、アダプタ用制御部５７は、冷凍能力比差が、この範囲にある状態が所定時間継続しているか判断し、所定時間継続していると判断した場合には、冷房または暖房の安定運転が行われていると判断する。
【００４５】
前述の各条件（第１〜第３の条件）を満たしている場合には、アダプタ用制御部５７は、冷凍機データを遠隔監視センター５８に送る（ステップＳ５）。
遠隔監視センター５８のセンター用制御部５９は、取得した冷凍機データに基づいて、熱バランスを算出し、算出された熱バランスが９５％から１０５％の範囲にあるか否かを判断する（ステップＳ６）。
そして、熱バランスが９５％から１０５％の範囲にあると判断した場合には、安定運転時に取得された冷凍機データであるとして、当該冷凍機データを採用する（ステップＳ７）。一方、熱バランスが前述の範囲外であると判断した場合には、安定運転時に取得された冷凍機データでないとして、当該冷凍機データを採用せず、再度冷凍機データの取得を行う。
【００４６】
以上説明したように、本実施形態においては、アダプタ用制御部５７（制御部）は、蒸発器１の冷温水出口温度と冷温水の設定温度との差が所定温度の範囲内である状態が所定時間継続していると判断した場合、安定運転が行われていると判断し、冷凍機データを取得する。
これによれば、アダプタ用制御部５７により、蒸発器１の冷温水出口温度と冷温水の設定温度との差が所定温度の範囲内である状態が所定時間継続していると判断した冷凍機データを取得することで、確実に安定運転が行われていると判断した場合の冷凍機データを取得することができる。
【００４７】
また、本実施形態においては、アダプタ用制御部５７（制御部）は、所定時間毎に取得した蒸発器１の冷温水出入口温度の差が所定温度の範囲内である状態が所定時間継続していると判断した場合、安定運転が行われていると判断し、冷凍機データを取得する。
これによれば、アダプタ用制御部５７により、所定時間毎に取得した蒸発器１の冷温水出入口温度の差が所定温度の範囲内である状態が所定時間継続していると判断した冷凍機データを取得することで、確実に安定運転が行われていると判断した場合の冷凍機データを取得することができる。
【００４８】
また、本実施形態においては、アダプタ用制御部５７（制御部）は、蒸発器１の冷温水温度差と冷温水流量値から冷凍能力比を算出し、所定時間毎の冷凍能力比差が、所定の範囲内である状態が所定時間継続していると判断した場合、安定運転が行われていると判断し、冷凍機データを取得する。
これによれば、アダプタ用制御部５７により、蒸発器１の冷温水温度差と冷温水流量値から算出した所定時間毎の冷凍能力比差が、所定の範囲内である状態が所定時間継続していると判断した冷凍機データを取得することで、安定運転が行われていると判断した場合の冷凍機データを取得することができる。
【００４９】
また、本実施形態においては、センター用制御部５９（制御部）は、熱バランスを算出し、この熱バランスが所定の範囲内であると判断した場合、安定運転時における冷凍機データであるとして取得した冷凍機データを採用する。
これによれば、センター制御部により算出された熱バランスが所定の範囲内であると判断した場合の冷凍機データを採用することで、確実に安定運転時における冷凍機データを利用することができる。その結果、吸収式冷凍機の運転性能を適正に判断することができ、不具合があれば早期発見が可能で、適切なメンテナンス対応を行うことが可能となる。
【００５０】
また、本実施形態においては、遠隔監視センター５８との通信を行う遠隔監視アダプタ５６を備え、遠隔監視アダプタ５６が備えるアダプタ用制御部５７が安定運転であるか否かを判断する。
これによれば、アダプタ用制御部５７により安定運転が行われているか否かの判断を行うことができる。
【００５１】
また、本実施形態においては、遠隔監視センター５８が備えるセンター用制御部５９が熱バランスを算出する。
これによれば、遠隔監視センター５８のセンター用制御部５９により確実に安定運転時における冷凍機データを利用することができる。
【００５２】
なお、本実施形態は本発明を適用した一態様を示すものであって、本発明は前記実施形態に限定されない。
例えば、本実施形態では、高温再生器にて吸収液を加熱する加熱手段として燃料ガスを燃焼させて加熱を行うガスバーナ４を備える構成について説明したが、これに限定されるものではなく、例えば、灯油やＡ重油を燃焼させるガスバーナを備える構成や、蒸気や排気ガスなどの温熱を用いて加熱する構成としてもよい。
【符号の説明】
【００５３】
１  蒸発器
２  吸収器
４  ガスバーナ
５  高温再生器
６  低温再生器
７  凝縮器
１４  冷温水管
１５  冷却水管
３６  冷却水入口温度センサ
３７  冷却水出口温度センサ
３８  冷温水入口温度センサ
３９  冷温水出口温度センサ
４５  稀吸収液ポンプ
４７  濃吸収液ポンプ
４８  冷媒ポンプ
５０  コントローラ
５１  冷凍機用制御部
５２  メモリ
５３  タイマ
５４  操作部
５５  報知部
５６  遠隔監視アダプタ
５７  アダプタ用制御部
５８  遠隔監視センター
５９  センター用制御部
６５  ガス流量計
７０  抽気装置
７６  冷温水差圧センサ
７７  冷却水差圧センサ
１００    吸収式冷凍機
【図１】
0006754981.tif 000002
【図２】
0006754981.tif 000003
【図３】
0006754981.tif 000004